(57)【要約】【課題】２つのカップを携帯できると共に保温や保冷の機能を備えるペアカップ付きボトルを提供する。【解決手段】合成樹脂製で筒状に形成されたボトル本体１２と、ボトル本体の上部１２ａ側及び下部１２ｂ側から螺着して当該ボトル本体の表面を被覆する一対のカップ１３、１４とからなるペアカップ付きボトル１１であって、ボトル本体は、中央部近傍の外周に沿ってカップを上部側及び下部側からそれぞれ螺着するための雄ネジ１５が形成され、上部に蓋部１７が設けられており、カップは、縁部近傍の内周に沿って雄ネジに螺着する雌ネジ１８が形成されていると共に、断熱性を有して保温保冷機能を備える。【選択図】図２
0003215777.tif 000002
【実用新案登録請求の範囲】
【請求項１】
合成樹脂製で筒状に形成されたボトル本体と、該ボトル本体の上部側及び下部側から螺着して当該ボトル本体の表面を被覆する一対のカップとからなるペアカップ付きボトルであって、
前記ボトル本体は、中央部近傍の外周に沿って前記カップを上部側及び下部側からそれぞれ螺着するための雄ネジが形成され、上部に蓋部が設けられており、
前記カップは、縁部近傍の内周に沿って前記雄ネジに螺着する雌ネジが形成されていると共に、断熱性を有して保温保冷機能を備えること
を特徴とするペアカップ付きボトル。
【請求項２】
前記カップは、ステンレス製で二重構造に形成されることで前記保温保冷機能を備えること
を特徴とする請求項１に記載のペアカップ付きボトル。
【考案の詳細な説明】
【技術分野】
【０００１】
本考案は、筒状のボトル本体と、このボトル本体の上部側及び下部側からそれぞれ螺着してボトル本体の表面を被覆する一対のカップとからなるペアカップ付きボトルに関するものである。
【背景技術】
【０００２】
従来、カップ付きのボトルとしては、特開２００５−１４９１１号公報に開示されたコップ付き飲料用プラスチックボトルが知られている。このコップ付き飲料用プラスチックボトルは、プラスチックボトルと、その上部に上下を逆さまにして取り付けるコップとからなり、コップの縁部の内周には、凸部が形成されており、プラスチックボトルの外周には、凸部と嵌合する凹部が設けられた構成である（特許文献１参照）。
【０００３】
このような構成のコップ付き飲料用プラスチックボトルは、コップの凸部をプラスチックボトルの凹部にカチッと嵌め合わせて、コップをプラスチックボトルの上部に取り付けることができる。取り付けた際には、プラスチックボトルの上下を逆さまにしてもコップが落下することはない。また、プラスチックボトルと一緒にコップを携帯することができる。
【先行技術文献】
【特許文献】
【０００４】
【特許文献１】特開２００５−１４９１１号公報
【考案の概要】
【考案が解決しようとする課題】
【０００５】
この従来例のコップ付き飲料用プラスチックボトルにおいては、コップを携帯することはできるが、コップやプラスチックボトル自体に保温や保冷の機能を有しない。この場合、温かい飲料は冷めてしまい、冷たい飲み物は温まってしまうこととなり、加熱又は冷却した飲料を適温で美味しく飲めないという欠点を有している。
【０００６】
従って、従来例におけるコップ付き飲料用プラスチックボトルにおいては、保温や保冷の機能を備えて、温かい飲料や冷たい飲み物をできるだけそのままの温度で美味しく飲めるようにすることに解決しなければならない課題を有している。
【課題を解決するための手段】
【０００７】
前記従来例の課題を解決するための本考案の要旨は、合成樹脂製で筒状に形成されたボトル本体と、該ボトル本体の上部側及び下部側から螺着して当該ボトル本体の表面を被覆する一対のカップとからなるペアカップ付きボトルであって、前記ボトル本体は、中央部近傍の外周に沿って前記カップを上部側及び下部側からそれぞれ螺着するための雄ネジが形成され、上部に蓋部が設けられており、前記カップは、縁部近傍の内周に沿って前記雄ネジに螺着する雌ネジが形成されていると共に、断熱性を有して保温保冷機能を備えることである。
【０００８】
また、前記カップは、ステンレス製で二重構造に形成されることで前記保温保冷機能を備えること、；
を含むものである。
【考案の効果】
【０００９】
本考案に係るペアカップ付きボトルによれば、ボトル本体の上部側及び下部側からそれぞれカップを螺着すると、保温保冷機能を有する当該カップがボトル本体の表面を被覆する。つまり、２つのカップを携帯できると共に、ボトル本体に収納された飲料が保温又は保冷されることとなる。
したがって、温かい飲料や冷たい飲み物を適温で長い時間美味しく飲めるという優れた効果を奏する。
【００１０】
カップは、ステンレス製で二重構造に形成されることで保温保冷機能を備えることによって、カップが断熱性を有して、保温や保冷の機能が長時間に渡って持続するという優れた効果を奏する。
【図面の簡単な説明】
【００１１】
【図１】本考案に係るペアカップ付きボトル１１の斜視図である。
【図２】本考案に係るペアカップ付きボトル１１を、ボトル本体１２と一対のカップ１３、１４とに分離して示す斜視図である。
【図３】本考案に係るペアカップ付きボトル１１のボトル本体１２と、カップ１３と、カップ１４とを示す斜視図である。
【図４】ボトル本体１２とその蓋部１７とを分離して示す正面図である。
【図５】カップ１３（１４）の縦断面図である。
【図６】カップ１３、１４を缶ホルダーとして使用する説明図である。
【図７】カップ１３、１４を２人でシェアして使用する説明図である。
【考案を実施するための形態】
【００１２】
次に、本考案の実施の形態について図面を参照しながら説明する。まず、図１から図３において、符号１１はペアカップ付きボトルを示し、このペアカップ付きボトル１１は、合成樹脂製で筒状に形成されたボトル本体１２と、ボトル本体１２の上部１２ａ側及び下部１２ｂ側からそれぞれ螺着して当該ボトル本体１２の表面を被覆する一対のカップ１３、１４とから構成される。
【００１３】
ボトル本体１２は、プラスチック等の合成樹脂材、望ましくはポリエステル樹脂で形成されており、また、筒状に形成されている。
【００１４】
そして、図２から図４に示すように、ボトル本体１２の中央部近傍の外周に沿って、雄ネジ１５が形成されている。雄ネジ１５は、ボトル本体１２の上部１２ａ側（即ち、蓋部１７側）、及び下部１２ｂ側から、それぞれカップ１３、１４の雌ネジ１８を螺着するためのネジである。
【００１５】
ボトル本体１２の上部の縁部には、図４に示すように、ネジ部１６が形成されており、このネジ部１６に蓋部１７を取り外し自在に螺着できるようになっている。蓋部１７は、プラスチック等の合成樹脂材、望ましくはポリプロピレンで形成されている。
【００１６】
一対のカップ１３、１４は、図２に示すように、一方のカップをボトル本体１２の上部１２ａ側（即ち、蓋部１７側）から螺着して、他方のカップをボトルを下部１２ｂ側から螺着する。カップ１３とカップ１４とは、同一の形状に形成されているので、一方のカップをボトル本体１２の上部１２ａ側から螺着できるし、あるいは、下部１２ｂ側からも螺着できる。
【００１７】
カップ１３、１４は、図２、図３及び図５に示すように、縁部近傍の内周に沿って雌ネジ１８が形成されている。この雌ネジ１８は、ボトル本体１２の雄ネジ１５に螺着するためのネジである。
【００１８】
また、カップ１３、１４は、ステンレス製で、図５の縦断面図に示すように、二重構造に形成されている。カップ１３（１４）の内部１９は、真空あるいは空洞になっており、したがって、カップ１３（１４）が断熱性を有し、保温や保冷の機能が長時間に渡って持続する。
【００１９】
なお、カップ１３、１４は、ステンレス製に代えて、プラスチック等の合成樹脂製で二重構造に形成してもよい。この場合は、二重構造部分の内部に、ウレタン樹脂等の断熱材を収納して保温保冷機能を備えるようにすればよい（図示せず）。要するに、カップをボトル本体１２の上部１２ａ側及び下部１２ｂ側から螺着したときに、ボトル本体１２の表面を被覆して保温保冷機能が発揮できればよいのである。
【００２０】
このようなカップ１３、１４は、ボトル本体１２の上部１２ａ側及び下部１２ｂ側から螺着すると、図１に示すように、ボトル本体１２の表面をピッタリと被覆する。カップ１３、１４は、保温保冷機能を備えるので、その結果、ボトル本体１２に収納されている温かい飲料や冷たい飲み物をそのままの温度で長い時間に渡って維持できるのである。
【００２１】
このように、カップ１３、１４は保温保冷機能を備えるので、図６に示すように、冷えた缶ビール２０等を収納して、缶ホルダーとして使用することもできる。
【００２２】
また、図７に示すように、２つのカップに飲み物をそれぞれ入れて、２人でシェアすることもできる。この場合にも、飲み物の保温保冷機能を発揮する。
【００２３】
以上のように構成されるペアカップ付きボトル１１は、ボトル本体１２の上部１２ａ側及び下部１２ｂ側からカップ１３、１４を螺着すると、保温保冷機能を有する当該カップ１３、１４がボトル本体１２の表面をピッタリと被覆する。つまり、ボトル本体１２に収納された飲料が保温又は保冷されるので、温かい飲料や冷たい飲み物をそのままの温度で長い時間に渡って美味しく飲める。
【符号の説明】
【００２４】
１１  ペアカップ付きボトル
１２  ボトル本体
１２ａ上部
１２ｂ下部
１３、１４  カップ
１５  雄ネジ
１６  ネジ部
１７  蓋部
１８  雌ネジ
１９  内部
２０  缶ビール
【図１】
0003215777.tif 000003
【図２】
0003215777.tif 000004
【図３】
0003215777.tif 000005
【図４】
0003215777.tif 000006
【図５】
0003215777.tif 000007
【図６】
0003215777.tif 000008
【図７】
0003215777.tif 000009